(57)【要約】【課題】クラッチピストン１とクラッチシリンダ２との対向すきまをシールリング３で仕切ってクラッチシリンダ側空間４と油圧室５とを分離した流体式変速機のクラッチピストン機構において、クラッチピストン１とシールリング３との嵌め合い面の密封性を可及的に高める。【解決手段】シールリング３は、クラッチピストン１に外嵌装着される芯金３１と、この芯金３１に被着されてクラッチシリンダ２側に接触されるアウターリップ３２と、芯金３１に被着されてクラッチピストン１との嵌め合い面に弾性変形した状態で接触されるインナーリップ３３とを有している。これにより、クラッチピストン１に対するシールリング３の芯金３１の組み付け公差を従来例のようにシビアに管理しなくても、クラッチピストン１とシールリング３との嵌め合い面の密封性を確保できる。【選択図】図１
2006002915.tif 000002
【特許請求の範囲】
【請求項１】
クラッチシリンダの環状空間に軸方向にスライド可能に収納されてクラッチシリンダとの対向間に油圧室を形成するとともに、油圧室に対する油圧制御に応じて軸方向にスライドされて流体式変速機を切り替え操作する流体式変速機のクラッチピストンであって、
クラッチピストンに、前記油圧室とクラッチシリンダ側空間とを仕切るシールリングが取り付けられ、
このシールリングは、クラッチピストンに外嵌装着される芯金と、この芯金に被着されて前記クラッチシリンダ側に接触されるアウターリップと、前記芯金に被着されて前記クラッチピストンとの嵌め合い面に弾性変形した状態で接触されるインナーリップとを有していることを特徴とする流体式変速機のクラッチピストン。
【請求項２】
前記芯金は、円筒部とその軸方向一端から径方向内向きに延びる環状板部とを有し、前記アウターリップは、芯金の円筒部と環状板部とが連接する角部の外径側に加硫接着され、前記インナーリップは、芯金の環状板部において前記クラッチピストンに当接する側の面（内側面）の内径側に加硫接着されていることを特徴とする請求項１に記載の流体式変速機のクラッチピストン。
【請求項３】
前記芯金の内側面の内径側は、外径側よりも外側へ後退した段差形状とされ、この段差部に前記インナーリップが配置されていることを特徴とする請求項２に記載の流体式変速機のクラッチピストン。
【発明の詳細な説明】
【技術分野】
【０００１】
本発明は、例えば自動車などに装備される流体式変速機のクラッチピストンに関する。
【背景技術】
【０００２】
従来の流体式変速機では、油圧式のクラッチ機構が用いられている。このクラッチ機構は、クラッチピストンとクラッチシリンダとの間の対向すきまに形成される油圧室に操作油を供給することにより、クラッチピストンをクラッチシリンダの案内面に沿って移動させて、クラッチプレートを押圧する構成である。
【０００３】
このような油圧式のクラッチ機構においては、クラッチピストンに、前記油圧室とクラッチシリンダ側空間（クラッチプレート配置空間）とを仕切るシールリングを取り付けている。このシールリングは、円筒部とその軸方向一端から径方向内向きに延びる環状板部とを有する芯金と、芯金の円筒部と環状板部とが連接する角部の外径側に加硫接着されたアウターリップとを有する構成である。アウターリップはクラッチピストンに対向するクラッチシリンダに接触されている。このシールリングでは、アウターリップと同一素材の弾性体を膜状に環状板部の内側面にまで回り込ませており、この膜状の弾性体をクラッチピストンに接触させることによって、金属製のクラッチピストンとシールリングの金属製の芯金との嵌め合い面から操作油が染み出すことを防止するようにしている（例えば特許文献１参照。）。
【０００４】
上記従来例において、クラッチピストンに対してシールリングの芯金を密着させることによって膜状の弾性体をクラッチピストンに圧接させれば、クラッチピストンとシールリングの芯金との嵌め合い面の密封性を高めることができるものの、そうするには、クラッチピストンに対するシールリングの組み付け公差を小さく管理する必要がある。
【特許文献１】特開２００３−１３９２４９号
【発明の開示】
【発明が解決しようとする課題】
【０００５】
本発明は、流体式変速機のクラッチピストンと、それに取り付けられるシールリングとの嵌め合い面の密封性を可及的に高めることを解決すべき課題としている。
【課題を解決するための手段】
【０００６】
本発明に係る流体式変速機のクラッチピストンは、クラッチシリンダの環状空間に軸方向にスライド可能に収納されてクラッチシリンダとの対向間に油圧室を形成するとともに、油圧室に対する油圧制御に応じて軸方向にスライドされて流体式変速機を切り替え操作するものであって、クラッチピストンに、前記油圧室とクラッチシリンダ側空間とを仕切るシールリングが取り付けられ、このシールリングは、クラッチピストンに外嵌装着される芯金と、この芯金に被着されて前記クラッチシリンダ側に接触されるアウターリップと、前記芯金に被着されて前記クラッチピストンとの嵌め合い面に弾性変形した状態で接触されるインナーリップとを有していることを特徴としている。
【０００７】
本発明によると、クラッチピストンに外嵌装着されるシールリングの芯金に、従来例のような膜状の弾性体ではなく、クラッチピストンに弾性変形した状態で圧接されるインナーリップを設けているから、クラッチピストンとシールリングの芯金との嵌め合い面に油分が染み込んでも、この油分の染み出しが防止される。特に、インナーリップを弾性変形した状態でクラッチピストンに押し付けているので、クラッチピストンに対するシールリングの芯金の組み付け公差を従来例のように小さくしなくても、簡単に十分な密封性を確保できる。
【０００８】
好ましくは、前記芯金は、円筒部とその軸方向一端から径方向内向きに延びる環状板部とを有し、前記アウターリップは、芯金の円筒部と環状板部とが連接する角部の外径側に加硫接着され、前記インナーリップは、芯金の環状板部において前記クラッチピストンに当接する側の面（内側面）の内径側に加硫接着されたものとすることができる。
【０００９】
好ましくは、前記芯金の内側面の内径側は、外径側よりも外側へ後退した段差形状とされ、この段差部に前記インナーリップが配置されたものとすることができる。この場合、インナーリップの突出長さを長くすることが可能になるので、クラッチピストンに対するシールリングの芯金の組み付け代（嵌め合い代）が浅くても、インナーリップをクラッチピストンに圧接させやすくなる。
【発明の効果】
【００１０】
本発明によると、クラッチピストンに対するシールリングの組み付け公差をシビアに管理しなくても、クラッチピストンとシールリングとの嵌め合い面の密封性を十分なものとすることが可能になる。
【発明を実施するための最良の形態】
【００１１】
以下、本発明の最良の実施形態を、添付した図面に基づいて説明する。
【００１２】
図１は、流体式変速機のクラッチピストン機構における要部の上半分を示す断面図、図２は、図１のシールリングの上半分を示す断面図である。
【００１３】
図に示す流体式変速機のクラッチ機構は、クラッチピストン１とクラッチシリンダ２との対向すきまをシールリング３で仕切ってクラッチシリンダ側空間４と油圧室５とを分離している。
【００１４】
クラッチピストン１およびクラッチシリンダ２は、金属板を屈曲して製作された環状部材であり、いずれも、断面形状が略同じ形状になっている。クラッチピストン１およびクラッチシリンダ２は、いずれも、大径筒部１１，２１の一端から径方向内向きに屈曲して大径環状板部１２，２２を形成し、この大径環状板部１２，２２の内端から小径筒部１３，２３を形成するともとに、この小径筒部１３，２３からさらに径方向内向きに屈曲して小径環状板部１４，２４を形成した形状になっている。
【００１５】
そして、クラッチシリンダ２の内径側にクラッチピストン１が所定の対向すきまを介して嵌入されており、クラッチシリンダ２に対してクラッチピストン１が軸方向に移動可能になっている。このクラッチシリンダ２とクラッチピストン１との対向すきまは、クラッチピストン１に取り付けられるシールリング３でもって仕切られることによって、クラッチシリンダ側空間４と油圧室５とを分離している。
【００１６】
このような流体式変速機のクラッチ機構の動作を説明する。
【００１７】
クラッチピストン１は図示していないコイルスプリングによってクラッチシリンダ２側へ弾発付勢されており、油圧室５に操作油を供給することによりクラッチピストン１を図１の右側へスライドさせる一方、油圧室５内の操作油を回収することによりクラッチピストン１を図１の左側へスライドさせるようになっている。このスライド動作により、図示していないクラッチプレートをクラッチディスクに押し付けて動力を伝達する状態にしたり、あるいは引き離して動力伝達を遮断する状態にしたりする。
【００１８】
ここで、シールリング３の構成を詳しく説明する。
【００１９】
シールリング３は、芯金３１に弾性材からなるアウターリップ３２およびインナーリップ３３を加硫接着した構成である。芯金３１は、円筒部３４の一端に径方向内向きの環状板部３５を一体形成した形状である。アウターリップ３２は、芯金３１における円筒部３４と環状板部３５との境の角部の外径側に径方向斜め外向きに延びる状態で被着されている。インナーリップ３３は、芯金３１における環状板部３５の内側面（クラッチピストン１に当接する側の面）の内径側でクラッチピストン１側へ向けて径方向斜め内向きに延びる状態で被着されている。
【００２０】
そして、芯金３１の内側面の内径側は、外径側よりも外側へ後退した段差形状とするように屈曲され、さらにこの段差部３６には内側から外側へ向けて薄肉とされている。この段差部３６の薄肉部３７にインナーリップ３３が配置されている。これにより、インナーリップ３３の突出長さを可及的に長くすることができるので、クラッチピストン１に対する接触締め代を大きくすることができる。これはつまり、クラッチピストン１にシールリング３を嵌合装着する際に、嵌合代（嵌合深さ）が浅くなったときでも、インナーリップ３３をクラッチピストン１の小径環状板部１４に押し付けた状態で接触できるようにしているのである。
【００２１】
このシールリング３は、芯金３１の円筒部３４の内周面がクラッチピストン１の小径筒部１３に、また芯金３１の環状板部３５がクラッチピストン１の小径環状板部１４に当接する状態で取り付けられる。この状態でアウターリップ３２は、クラッチシリンダ２の小径円筒部２３の内周面に弾性変形した状態で圧接され、インナーリップ３３は、クラッチピストン１の小径環状板部１４の外側面に弾性変形した状態で圧接される。両リップ３２，３３共に弾性変形した状態になるように、所定の締め代を持たせている。なお、両リップ３２，３３の傾き度合いや締め代等は、必要に応じて適宜に管理される。但し、図１では、両リップ３２，３３の締め代を解りやすくするために、両リップ３２，３３を弾性変形していない状態で記載している。
【００２２】
このように、シールリング３は、アウターリップ３２でクラッチシリンダ側空間４と油圧室５とを仕切り、インナーリップ３３で芯金３１とクラッチピストン１との嵌め合い面を密封することにより、油圧室５からクラッチシリンダ側空間４への油分の染み出しを防止するようにしている。
【００２３】
以上説明したように、クラッチピストン１に外嵌装着されるシールリング３の芯金３１に、従来例のような膜状の弾性体ではなく、クラッチピストン１に圧接されるインナーリップ３３を設けているから、クラッチピストン１とシールリング３の芯金３１との嵌め合い面に油分が染み込んでも、この油分の染み出しが防止される。特に、インナーリップ３３を弾性変形した状態でクラッチピストン１に押し付けているので、クラッチピストン１に対するシールリング３の芯金３１の組み付け公差を従来例のように小さくしなくても、簡単に十分な密封性を確保できる。つまり、クラッチピストン１に対するシールリング３の組み付け公差をシビアに管理しなくとも、クラッチピストン１とシールリング３との嵌め合い面からの油の染み出しを確実に防止できるようになる。
【図面の簡単な説明】
【００２４】
【図１】本発明に係る流体式変速機のクラッチピストン機構の最良の実施形態における要部の上半分を示す断面図
【図２】図１のシールリングの上半分を示す断面図
【符号の説明】
【００２５】
１…クラッチピストン、２…クラッチシリンダ、３…シールリング、３１…芯金、３２…アウターリップ、３３…インナーリップ。
【図１】
2006002915.tif 000003
【図２】
2006002915.tif 000004